(57)【要約】【課題】パチンコ球や遊戯用メダルを受容する受皿の他に灰皿やドリンクホルダを設けても、全体スペースを大きくしない。【解決手段】固定受皿３０と可動受皿４０とを備える。固定受皿３０は、可動受皿４０と隣接する左側壁３０ｆに第１連通用開口３０ｇを有する。可動受皿４０は、固定受皿３０に対して離れる方向にスライド可能なスライド板５０と、スライド板５０にスライド方向と垂直に設けられた回転軸５１と、回転軸５１に軸支されて回転する皿６０とからなる。皿６０は、第２連通用開口４０ｇを備え、第２連通用開口４０ｇが第1連通用開口３０ｇと連通する姿勢と、第２連通用開口４０ｇが設けられていない側壁が第1連通用開口３０ｇを塞ぐ姿勢との間で切替可能であり、それぞれの姿勢の状態で固定する係止穴６０ｋを備える。係止穴６０ｋは固定受皿３０に設けられた係止爪３１と係合する。【選択図】図１０
2008229072.tif 000002
【特許請求の範囲】
【請求項１】
側壁の一部が削除されて形成される第1連通用開口を有し、払い出された遊技媒体を受容する所定の箇所に固定された固定受皿と、
前記固定受皿に隣接して配置され、側壁の一部が削除されて形成される第２連通用開口を有し、前記第２連通用開口が前記第1連通用開口と連通して前記固定受皿の遊技媒体を受容可能とする容積を拡大する姿勢と、前記側壁のうち前記第２連通用開口が設けられていない側壁が前記第1連通用開口を塞ぐ姿勢との間で切替可能な可動受皿と、を備えたことを特徴とする遊技機。
【請求項２】
前記第２連通用開口が前記第1連通用開口と連通して前記固定受皿の遊技媒体を受容可能とする容積を拡大する姿勢と、前記側壁のうち前記第２連通用開口が設けられていない側壁が前記第1連通用開口を塞ぐ姿勢との状態で固定する固定手段を備えたことを特徴とする請求項１記載の遊技機。
【請求項３】
前記可動受皿は、前記固定受皿に対して離れる方向にスライド可能なスライド板と、前記スライド板にスライド方向と垂直に設けられた回転軸と、前記回転軸に軸支されて回転する皿と、によって構成されることを特徴とする請求項１または２記載の遊技機。
【発明の詳細な説明】
【技術分野】
【０００１】
本発明は、パチンコ球やメダル等の遊技媒体を受容する受皿と灰皿の設けられた遊技機に関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、遊技媒体の供給に基づいて作動させるランプ装置や音声発生装置などの様々な各種駆動装置及びこれら駆動装置を制御する制御回路基板を含む制御回路装置を備えており、遊技者が遊技を行う際にこれらを適宜作動させることによって遊技を興趣に溢れたものとしている。
【０００３】
これらの遊技機には、当たりを出した時にパチンコ球やメダルが払い出される受皿が設けられているが、遊技者がタバコやドリンクを飲みながら遊技を楽しむことができるように、受皿の横に灰皿やドリンクホルダが設けられている。しかし、灰皿やドリンクホルダを設けたことにより、その分受皿が小さくなり、収容量が少なくなってしまう。
【０００４】
また、最近の遊技機には、現金や専用のプリペイドカードによりパチンコ球やメダルを受皿に直接貸し出す貸出装置が設けられている。この貸出装置は、遊技球や遊技用コインを貯留する貯留部を備え、この貯留部と受皿とをつなぐ通路を有している。そのため、現金やプリペイドカードのポイントと引き替えに貸し出されるパチンコ球やメダルが前記貯留部から前記通路を経て前記受皿に払い出される。
【０００５】
しかし、ホルダを有することにより受皿の容積が小さくならないように、受皿の大きさを従来の受皿の大きさと同等にすると、前記通路をホルダの分だけ延長しなくてはならず、そのため、貸出装置の製作に余分なコストがかかってしまう。
【０００６】
かかる従来の問題点を解決するために当出願人から下記特許文献に示す改善提案がなされている。この改善提案は、灰皿とドリンクホルダが両脇に設けられた受皿について、ドリンクホルダ不使用時に、ドリンクホルダと受皿の間の隔壁を移動してドリンクホルダスペースをなくし、受皿のスペースをその分大きくするようにしたものである。
【特許文献１】特開２００２−２１０１７２号公報
【発明の開示】
【発明が解決しようとする課題】
【０００７】
灰皿やドリンクホルダを含む受皿の全体スペースを、現状維持したままパチンコ球やメダルを受容する受皿の容積を大きくすることは困難であり、前述の提案によるドリンクホルダのスペース利用だけでは、まだ十分とは言えない。
【０００８】
本発明は、上記課題を解決するためになされたものであり、パチンコ球やメダルを受容する受皿の他に灰皿やドリンクホルダを設けても、全体スペースを大きくしないでパチンコ球やメダルを受容する容積を増やすことができる構造を提案する。
【課題を解決するための手段】
【０００９】
上記目的を達成するために本発明の遊技機は、払い出された遊技媒体を受容する固定受皿と回転可能な可動受皿とを備える。前記固定受皿は、前記可動受皿と隣接する側壁の一部が削除されて形成される第１連通用開口を設ける。前記可動受皿は、前記固定受皿に隣接して配置され、側壁の一部が削除されて形成される第２連通用開口を備える。前記可動受皿は、前記第２連通用開口が前記第1連通用開口と連通して前記固定受皿の遊技媒体を受容可能とする容積を拡大する姿勢と、前記側壁のうち前記第２連通用開口が設けられていない側壁が前記第1連通用開口を塞ぐ姿勢との間で切替可能とし、それぞれの姿勢の状態で固定する固定手段を備える。前記可動受皿は、前記固定受皿に対して離れる方向にスライド可能なスライド板と、前記スライド板にスライド方向と垂直に設けられた回転軸と、前記回転軸に軸支されて回転する皿と、によって構成される。
【００１０】
前記可動受皿は、灰皿としての機能と、ドリンクホルダとしての機能と、前記受け皿の拡張機能とを有する。前記可動受皿を灰皿として用いる時は、前記第２連通用開口と対向する側壁を手前にして位置決めする。この側壁の上面中央にはタバコを置くための凹部が設けられる。前記可動受皿をドリンクホルダとして用いる時は、前記第２連通用開口を手前にして位置決めする。前記第２連通用開口が手前にあるためドリンクの入ったコップあるいは缶を置き易い。前記可動受皿を前記受け皿の拡張機能部材として用いる時は、前記第２連通用開口を前記受皿側にして位置決めする。前記第２連通用開口が前記第1連通用開口と接し容積空間が連通して、前記固定受皿の前記遊技媒体を受容可能とする容積を拡大する。
【００１１】
前記固定受皿は、前記可動受皿を固定する固定手段である係止爪を供え、前記可動受皿は、前記側壁に前記固定受皿に固定する固定手段として係止穴を備える。前記可動受皿は、底部に、前記係止爪に前記係止穴が係止する前記第1連通用開口と前記第２連通用開口が連通する状態に位置決めするための位置決め手段を備える。
【発明の効果】
【００１２】
本発明によれば、遊技機に設けられる灰皿やドリンクホルダのスペースを受皿として使用することができるので、灰皿やドリンクホルダを含む従来の受皿スペースを大きくすることなく、パチンコ球やメダルを受容可能とする容積を必要に応じて大きくすることができる。
【発明を実施するための最良の形態】
【００１３】
図１に示すように、スロットマシン（遊技機）１は、収納箱４と、該収納箱４の前面に設けられた前扉５とからなる筐体３の内部に、後述する第１リール１０、第２リール１１、第３リール１２、電源装置（図示せず）、ホッパー装置（図示せず）等が配設された構成となっている。
【００１４】
前扉５は、上扉６と下扉７との２枚の扉から構成される。上扉６には表示窓８が設けられている。この表示窓の奥には第１リール１０、第２リール１１，第３リール１２が配設されている。周知のように、第１リール１０、第２リール１１、第３リール１２の外周面には、例えば複数種類の図柄が複数個配列されている。第１リール１０、第２リール１１、第３リール１２が停止すると、第１リール１０、第２リール１１、第３リール１２の図柄が各３個表示窓８から表示され、表示窓８を通して計９個の図柄が表示される。
【００１５】
下扉７の上部には、遊技の開始時に操作される１枚ベットボタン２０、ＭＡＸベットボタン２１、ペイアウトボタン２２などの各種の操作ボタンが設けられている。１枚ベットボタン２０は、投入されたメダルを１枚使用して遊技を行う場合に押圧操作されるボタンである。ＭＡＸベットボタン２１は、投入されたメダルを最大使用枚数（例えば３枚）使用して遊技を行う場合に押圧操作される。なお、投入されたメダルとは、投入口２８から直接メダルを投入するほかに、クレジットされたメダルを含む。
【００１６】
更に、下扉の上部には、スタートレバー２３や、第１ストップボタン２５、第２ストップボタン２６、第３ストップボタン２７が設けられている。スタートレバー２３は、遊技を実行する際に操作される。第１ストップボタン２５は、回転する第１リール１０を停止させる際に押圧操作されるボタンである。同様にして、第２ストップボタン２６、第３ストップボタン２７は、回転する第２リール１１、第３リール１２をそれぞれ停止させる際に押圧操作されるボタンである。
【００１７】
下扉７には、遊技を行う際にメダルを投入するための投入口２８が設けられている。投入口２８の奥にはセレクタが組み込まれ、不適正なメダルは払出口２９から固定受皿３０に排出される。また、セレクタは、例えば遊技の途中や各種の操作ボタンが押されたままの状態で投入された等の不適切なタイミングでメダルの投入が行われたときに、投入されたメダルを固定受皿３０に排出する。なお、遊技の開始に先立って投入するメダルの枚数は１〜３枚に限られているため、クレジット機能を用いていないときには４枚目以降に投入されたメダルは固定受皿３０に排出される。
【００１８】
一方、クレジット機能がオン状態のときには４枚目以降に投入されたメダルは、セレクタに設けられたメダルセンサ（図示せず）で検知された後、例えば５０枚を限度にスロットマシン１の内部に貯留される。このクレジット機能を用いているときには、前述した１枚ベットボタン２０やＭＡＸベットボタン２１の操作によりメダルの投入操作が行われ、そのベット枚数がクレジット枚数から逐次に減算される。また、遊技の結果、入賞が得られたときには配当となるメダルもクレジットされ、ペイアウトボタン２２を操作したときにクレジットされているメダルが固定受皿３０に払い出される。
【００１９】
固定受皿３０の横には可動受皿４０が並べて配置される。可動受皿４０は、固定受皿３０に遊技用コインが貯まってきたときに、固定受皿３０の収容スペースを拡張する機能を持っている。
【００２０】
図２および図３に示すように、下扉７の下部に配置（固定）された固定受皿３０は、払出口２９から払い出された遊技用コインを収容する容積空間３０ａを有する。固定受皿３０は、下扉７に固定され略中央に払出口２９を設けた背壁３０ｂと、下扉７から前面に突出する方向に設けられた底板３０ｃと、該底板３０ｃから立設し前記背壁３０ｂと対向して設けられた前壁３０ｄと、前記底板３０ｃから立設し前記前壁３０ｄの一端と前記背壁３０ｂの一端を連結する右側壁３０ｅと、底板３０ｃから立設し前記前壁３０ｄの他端と背壁３０ｂの他端を連結する左側壁３０ｆと、により構成される。固定受皿３０の左側壁３０ｆは、中央部が切欠かれ、容積空間３０ａを拡張するときに可動受皿４０の容積空間４０ａと連通させる第1連通用開口３０ｇが大きく設けられ、残りの壁面部分に、可動受皿４０を固定する固定手段である係止爪３１が２ヶ所設けられる。
【００２１】
固定受皿３０の左側に隣接して配置された可動受皿４０は、前記固定受皿３０に対して前記第２連通用開口４０ｇが前記第1連通用開口３０ｇより離れる方向にスライド可能なスライド板５０と、前記スライド板５０にスライド方向と垂直に設けられた回転軸５２と、前記回転軸５２に軸支されて回転する皿６０と、によって構成される。前記皿６０は、底板６０ｂと、略枡形に形成された側壁６０ｃ，６０ｄ，６０ｅ，６０ｆからなり、側壁６０ｃは前記第1連通用開口３０ｇと連通して前記遊技媒体を受容可能とする容積を拡大する第２連通用開口４０ｇを備え、側壁６０ｄは上面中央にタバコを置くための凹部６０ｊを備え、側壁６０ｆは前記係止爪３１と係合して前記可動受皿４０を前記固定受皿３０に固定する係止穴６０ｋを備える。
【００２２】
図４および図４の矢視断面図である図５に示すように、前記底板３０ｃは、内部にレール溝３０ｈを備える。レール溝３０ｈは、前記左側壁３０ｆに開口を有し、開口側約半分３０ｉに対し奥側約半分３０ｊが上方向に広く、上面中央付近に段差面３０ｋが設けられている。前記レール溝３０ｈには前記可動受皿４０の位置変更部材であるスライド板５０に設けられたレール５１が挿入する。レール５１の先端は上部にストッパ５１ａを有しており、その上下寸法は、前記レール溝３０ｈの開口側約半分３０ｉに対し大きく、奥側約半分３０ｊに対して小さい。したがって前記ストッパ５１ａは、奥側約半分３０ｊの範囲でのみ移動可能である。そのため前記可動受皿４０が移動して前記レール５１が引き出された時、前記ストッパ５１ａが前記段差面３０ｋに当接し、前記レール５１がそれ以上引き出されるのを防ぐ。このように前記レール５１と前記レール溝３０ｈによって、前記可動受皿４０を前記固定受皿３０から離間させて姿勢変更し易くしている。
【００２３】
前記スライド板５０は、前記レール５１の他に、中央上面に回転軸５２と、４つの位置決め穴５０ｉを備える。該４つの位置決め穴５０ｉは、前記回転軸５２を中心とした円周上に中心を持ち、等間隔に配置される。
【００２４】
前記皿６０の底板６０ｂの上面には缶コーヒーやジュース等の飲み物あるいはポップコーン等の食べ物を入れる容器あるいはタバコの灰や吸殻を入れる容器などを置く為の円形の凹部６０ｈが設けられ、底板６０ｂの下面中央には前記回転軸５２に嵌合する回転穴６０ｍが設けられ前記スライド板５０に回転可能に取り付けられる。底板６０ｂの下面には回転穴６０ｍの周囲に４つの位置決め用の凸部６０ｉが設けられ、回転穴６０ｍを中心にした円上に等間隔に配置されている。該凸部６０ｉは前記位置決め穴５０ｉと嵌合して、前記皿６０を所定位置に位置決めする。所定位置とは、前記４つの側壁６０ｃ，６０ｄ，６０ｅ，６０ｆのいずれか１面の係止穴６０ｋが前記左側壁３０ｆの係止爪３１と係合可能な姿勢となる位置のことである。
【００２５】
前記皿６０は、上方に動かして底板６０ｂの底面を前記スライド板５０から浮かせ、前記４つの位置決め用の凸部６０ｉと前記位置決め穴５０ｉとの嵌合を解除して、前記皿６０の姿勢を変更することが可能である。
【００２６】
次に本発明による遊技機１に備えられた固定受皿３０と可動受皿４０の作用について説明する。前記可動受皿４０は、灰皿としての機能と、ドリンク等のホルダとしての機能と、前記受け皿３０の容積空間３０ａを拡張する機能とを有する。
【００２７】
図２に戻って説明する。前記可動受皿４０を所謂灰皿としてタバコの吸殻を収納する用途に用いる場合は、側壁６０ｄを遊技者から見て手前にする。側壁６０ｄの上面中央にはタバコを置くための凹部６０ｊが設けられているので、吸いかけのタバコを置くことができる。また、大部分が切り欠かれた側壁６０ｃは、下扉７に密着して配置されるので、第２連通用開口４０ｇは塞がれ、タバコの灰や吸殻が外にこぼれることはない。また、側壁６０ｅが、前記固定受皿３０の左側壁３０ｆに密着して前記第1連通用開口３０ｇを塞ぐので、遊戯用コインが前記第1連通用開口３０ｇから外にこぼれ落ちることはない。
【００２８】
次に前記可動受皿４０を前記受け皿３０の容積空間３０ａを拡張する機能として用いる場合について説明する。図６に示すように、前記可動受皿４０を前記スライド板５０とともに矢印Ａの方向にスライドさせる。前記可動受皿４０は、一瞬傾き前記固定受皿３０と接触している側壁６０ｅ側が前記スライド板５０から浮いて、係止爪３１と係止穴６０ｋの係止が外れ左へ移動する。
【００２９】
図７の断面図に示すように、前記スライド板５０をスライド移動させると、前記底板３０ｃに設けられた前記レール溝３０ｈから前記スライド板５０に設けられたレール５１が引き出され、前記レール５１の先端に設けられたストッパ５１ａが前記レール溝３０ｈの前記段差面３０ｋに当接して、前記スライド板５０の摺動が停止する。
【００３０】
図８に示すように、左にスライド移動させた前記スライド板５０の上にある前記受皿６０を矢視Ｂの方向へ少し持ち上げ、前記皿６０を前記スライド板５０より浮かせる。図９の断面図に示すように、前記皿６０は、前記凸部６０ｉと前記位置決め穴５０ｉとの嵌合か解除されて回転可能になり、姿勢を変更することができるようになる。
【００３１】
図１０に示すように、前記スライド板５０上から上方へ少し引き上げた前記皿６０を、矢視Ｃの方向（時計方向）に９０°回転させる。回転させた前記皿６０を降ろし、前記凸部６０ｉと前記位置決め穴５０ｉとを嵌合させて位置を決める。この後、前記皿６０を前記スライド板５０とともに右方向へスライド移動させて、係止穴６０ｋと係止爪３１とを係合させる。
【００３２】
図１１に示すように、前記固定受皿３０の前記第1連通用開口３０ｇと前記可動受皿４０の前記第２連通用開口４０ｇが接続し、前記容積空間３０ａと前記容積空間４０ａが連通して、前記固定受皿３０の前記遊技媒体を受容可能な容積が拡大する。
【００３３】
次に、前記可動受皿４０をドリンク等のホルダとして用いる場合について説明する。図１２に示すように、前記皿６０は、前記第２連通用開口４０ｇを手前にして位置決めし、前記可動受皿４０を前記固定受皿３０に固定する。前記可動受皿４０の姿勢の変更は、前述した灰皿として用いる姿勢から受け皿の拡張機能として用いる姿勢への変更方法と同じである。
【００３４】
前記皿６０の底板６０ｂには、ジュース等の飲み物やポップコーン等の食べ物を入れる容器あるいはタバコの灰や吸殻を入れる容器などを置く前記凹部６０ｈが設けられているが、遊技者から見て手前に配置される前記側壁６０ｃに前記第２連通用開口４０ｇが設けられているため前記凹部６０ｈにドリンクの入ったコップや缶を置き易い。また、その他の側壁６０ｄ，６０ｅ，６０ｆがコップや缶の側面を支える作用をするので、コップや缶が倒れることはなく、側壁６０ｆが、前記固定受皿３０の左側壁３０ｆに接触して前記第1連通用開口３０ｇを塞ぐので、遊戯用コインが前記第1連通用開口３０ｇから外にこぼれ落ちることはない。
【００３５】
前記実施形態では、回転軸５２をスライド板５０に設けたが、皿６０に設けても良い。また、皿６０に凸部６０ｉを設け位置決め穴５０ｉをスライド板５０に設けたが、皿６０に位置決め穴を設けスライド板５０に凸部を設けても良い。図１３に示す別の実施形態は、スライド板７０に回転穴７０ａを設け、該回転穴７０ａに皿８０の底板８０ｂに設けられた回転軸８１を嵌合させて、前記皿８０を前記スライド板７０に回転可能に取り付ける。前記皿８０に位置決め穴８０ｉを設け、前記スライド板７０に位置決め用の凸部７０ｉを設ける。
【００３６】
前記実施形態における位置決め用の凸部と位置決め穴は、必ずしもそれぞれ４つづつ備える必要はなく、例えば位置決め用の凸部を１つにして位置決め穴を３つあるいは４つにしても良い。
【００３７】
前記実施形態は、固定受皿３０に係止爪３１を設け可動受皿４０の皿６０に係止穴６０ｋを設けたが、これに限るものではなく、固定受皿３０に係止穴を設け可動受皿４０に係止爪を設けても良く、また、固定受皿と可動受皿の両方に互いに係合する係止爪を設けても良い。もちろん、その個数は側壁１面当たり２個に限るものではなく、いくつ設けても良い。
【００３８】
前記実施形態は、可動受皿４０の第２連通用開口４０ｇと対向する側壁６０ｄの上面中央にタバコを置くための凹部６０ｊを設けたが、該凹部６０ｊは必ず必要なものではなく、あった方が使い易いというものである。
【００３９】
前記実施形態は、遊技機としてスロットマシンの例を取り上げたが、これに限定するものではなく、パチンコ機や、他の遊技機に本発明を実施することは可能である。
【図面の簡単な説明】
【００４０】
【図１】本発明によるスロットマシン（遊技機）の外観を示す斜視図である。
【図２】可動受皿を灰皿としてセットした時のスロットマシン下部の外観を示す斜視図である。
【図３】可動受皿を取り外した説明図である。
【図４】図２の固定受皿と可動受皿を上から見た図である。
【図５】図４の矢視断面図である。
【図６】灰皿としてセットした可動受皿を引き出した時の説明図である。
【図７】図６の受皿と可動受皿の断面図である。
【図８】引き出した可動受皿を上へ持ち上げた時の説明図である。
【図９】図８の受皿と可動受皿の断面図である。
【図１０】持ち上げた可動受皿を回転させた時の説明図である。
【図１１】可動受皿を固定受皿のスペース拡張用としてセットした時のスロットマシン下部の外観を示す斜視図である。
【図１２】可動受皿をドリンクホルダとしてセットした時のスロットマシン下部の外観を示す斜視図である。
【図１３】別の実施形態の固定受皿と可動受皿の断面図である。
【符号の説明】
【００４１】
１  スロットマシン
６  上扉
７  下扉
３０  固定受皿
３０ａ，４０ａ  容積空間
３０ｆ  左側壁
３０ｇ  第1連通用開口
３０ｈ  レール溝
３１  係止爪
４０  可動受皿
４０ｇ  第２連通用開口
５０，７０  スライド板
５０ｉ，７０ｉ  凸部
５１  レール
５２，８１  回転軸
６０，８０  皿
６０ｉ，８０ｉ  位置決め穴
６０k  係止穴
【図１】
2008229072.tif 000003
【図２】
2008229072.tif 000004
【図３】
2008229072.tif 000005
【図４】
2008229072.tif 000006
【図５】
2008229072.tif 000007
【図６】
2008229072.tif 000008
【図７】
2008229072.tif 000009
【図８】
2008229072.tif 000010
【図９】
2008229072.tif 000011
【図１０】
2008229072.tif 000012
【図１１】
2008229072.tif 000013
【図１２】
2008229072.tif 000014
【図１３】
2008229072.tif 000015